(57)【特許請求の範囲】
【請求項１】
筐体（１）及びこれと一体のノズルハウジング（４）内に夫々収納されたシャフト（２）及びプランジャ（３）が、ばね（１８）により上方へ付勢されると共に、外部からの押下げ力の付与又は解除により見かけ上一体に軸方向に往復移動して、該プランジャ（３）の往復移動により液体を吸入・吐出させるピペットにおいて、
筐体（１）の内周に直接的又は間接的に螺合されると共に、外部からの駆動力により回転駆動されて前記螺合に基づいて軸方向移動されることにより、実際吸入容量の可変設定及び吸入容量数値表示の可変設定の双方に寄与し得る中間駆動部材（７）と、
該中間駆動部材（７）の回転に連動して駆動され、吸入容量数値を可変的に表示し得る容量表示機構（８）と、
該シャフト（２）の第１の当接部（２ａ）に当接可能の第２の当接部（９ｄ）を有し且つ該中間駆動部材（７）に螺合された吸入容量調整ねじ部材（９）であって、該中間駆動部材（７）の前記回転駆動時に該中間駆動部材（７）と見かけ上一体的に軸方向に調節的に移動され、前記第1及び第２の当接部（２ａ、９ｄ）の当接に基づいて該シャフト（２）及びプランジャ（３）の上方への復帰移動停止位置即ち実際吸入容量を可変的に調整し得る吸入容量調整ねじ部材（９）とを備え、
前記容量表示機構（８）の表示数値と実際吸入容量の数値とが異なる場合、前記吸入容量調整ねじ部材（９）を回転不可に抑止することにより前記実際の吸入容量を不変のままの状態で、前記中間駆動部材（７）を前記外部からの駆動力により調整回転させることにより、前記容量表示機構（８）を駆動させて、その表示数値を前記不変の実際吸入容量の数値に一致するよう可変調整して校正作業を行う、ピペットの吸入容量校正機構。
【請求項２】
請求項１に記載の機構において、前記中間駆動部材（７）に一体的回転可能に取付けた容量設定部材（１０）を更に備え、前記容量設定部材（１０）を手動により回転させることにより前記中間駆動部材（７）の回転駆動のための外部からの駆動力の提供を行う、前記機構。
【請求項３】
請求項２に記載の機構において、前記容量表示機構（８）は、ハウジング（１４）内に容量表示回転ドラム（１５）が収納されてなり、前記容量設定部材（１０）は、前記ハウジング（１４）内に収納したトルクばね（２５）により前記筐体（１）に対して付勢されている、前記機構。
【請求項４】
請求項１乃至３の何れかに記載の機構において、前記吸入容量調整ねじ部材（９）に第１の係合部（９ｂ）が設けられ、前記吸入容量校正を行う際に、別個に提供した校正作業用治具（５１、５２）の第２の係合部（５１ｃ、５２ｂ）を前記第１の係合部（９ｂ）に係合させることにより、前記前記吸入容量調整ねじ部材（９）の回転不可の抑止を実現し得る、前記機構。
【請求項５】
請求項４に記載の機構において、前記校正作業用治具（５２）は更に第３の係合部（５２ｃ）を有し、前記治具（５２）の第２の係合部（５２ｂ）が前記吸入容量調整ねじ部材（９）の第１の係合部（９ｂ）に係合し且つ前記第３の係合部（５２ｃ）が筐体（１）の一部に係合することにより、前記吸入容量調整ねじ部材（９）の回転不可の抑止を実現し得る、前記機構。
【請求項６】
請求項１乃至５の何れかに記載の機構において、前記ストロークネジ（７）の前記筐体（１）の内周に螺合したねじピッチと、前記吸入容量調整ねじ部材（９）の前記中間駆動部材（７）に螺合するねじピッチとはほぼ同一である、前記機構。
【請求項７】
請求項１乃至６の何れかに記載の機構を有する、ピペット。
【請求項８】
筐体（１）及びこれと一体のノズルハウジング（４）内に夫々収納されたシャフト（２）及びプランジャ（３）が、ばね（１８）により上方へ付勢されると共に、外部からの押下げ力の付与又は解除により見かけ上一体に軸方向に往復移動して、該プランジャ（３）の往復移動により液体を吸入・吐出させるピペットにおいて、
筐体（１）の内周に直接的又は間接的に螺合されると共に、外部からの駆動力により回転駆動されて前記螺合に基づいて軸方向移動されることにより、実際吸入容量の可変設定及び吸入容量数値表示の可変設定の双方に寄与し得る中間駆動部材（７）と、
該中間駆動部材（７）の回転に連動して駆動され、吸入容量数値を可変的に表示し得る容量表示機構（８）と、
該シャフト（２）の第１の当接部（２ａ）に当接可能の第２の当接部（９ｄ）を有し且つ該中間駆動部材（７）に螺合された吸入容量調整ねじ部材（９）であって、該中間駆動部材（７）の前記回転駆動時に該中間駆動部材（７）と見かけ上一体的に軸方向に調節的に移動され、前記第1及び第２の当接部（２ａ、９ｄ）の当接に基づいて該シャフト（２）及びプランジャ（３）の上方への復帰移動停止位置即ち実際吸入容量を可変的に調整し得る吸入容量調整ねじ部材（９）とを備える前記ピペットにおいて、
前記容量表示機構（８）の表示数値と実際吸入容量の数値とが異なる場合、前記吸入容量調整ねじ部材（９）を回転不可に抑止することにより前記実際の吸入容量を不変のままの状態で、前記中間駆動部材（７）を前記外部からの駆動力により調整回転させることにより、前記容量表示機構（８）を駆動させて、その表示数値を前記不変の実際吸入容量の数値に一致するよう可変調整して校正作業を行う、ピペットの吸入容量校正方法。
【請求項９】
請求項８に記載の方法において、前記中間駆動部材（７）に一体的回転可能に嵌合された容量設定部材（１０）を更に備え、前記容量設定部材（１０）を手動により回転させることにより前記中間駆動部材（７）の回転駆動のための外部からの駆動力の提供を行う、前記方法。
【請求項１０】
請求項９に記載の方法において、前記容量表示機構（８）は、ハウジング（１４）内に容量表示回転ドラム（１５）が収納されてなり、前記容量設定部材（１０）は、前記ハウジング（１４）内に収納したトルクばね（２５）により前記筐体（１）に対して付勢されている、前記方法。
【請求項１１】
請求項８乃至１０の何れかに記載の方法において、前記吸入容量調整ねじ部材（９）に第１の係合部（９ｂ）が設けられ、前記吸入容量校正を行う際に、別個に提供した固定治具（５１、５２）の第２の係合部（５１ｃ、５２ｂ）を前記第１の係合部（９ｂ）に係合させることにより、前記前記吸入容量調整ねじ部材（９）の前記回転不可の抑止を実現し得る、前記方法。
【請求項１２】
請求項１１に記載の方法において、前記固定治具（５２）は更に第３の係合部（５２ｃ）を有し、前記治具（５２）の第２の係合部（５２ｂ）が前記吸入容量調整ねじ部材（９）の第１の係合部（９ｂ）に係合し且つ前記第３の係合部（５２ｃ）が筐体（１）の一部に係合することにより、前記吸入容量調整ねじ部材（９）の回転不可の抑止を実現し得る、前記方法。
【請求項１３】
請求項８乃至１２の何れかに記載の方法において、前記ストロークネジ（７）の前記筐体（１）の内周に螺合したねじピッチと、前記吸入容量調整ねじ部材（９）の前記中間駆動部材（７）に螺合するねじピッチとはほぼ同一である、前記方法。 
【発明の詳細な説明】
【技術分野】
【０００１】
本発明は、ピペットの吸入容量の校正を行う機構・ピペット及びその方法に関する。
【背景技術】
【０００２】
可変式ピペットでは、ピペットに吸入する液体の量が予め可変設定される。このとき、ピペットの上下動可能の中央シャフトに対して相対的移動自在で且つ筐体等に螺合しているストロークネジを軸方向へ手動により回転させて移動調整する。このときの移動調整は、ストロークネジの回転に連動して駆動された容量表示機構の数値表示が例えば１００μｌから所望の設定量の２００μｌになるまで行う。同時に、上記ストロークネジの回転に基づいてプランジャがシリンダーに対して軸方向へ移動調節されて実際の吸入容量が１００μｌから上記表示された吸入容量数値に対応する２００μｌまで可変設定される。これにより、実際の吸入容量と表示吸入容量数値とは常に一致して可変設定されるようになっている。【０００３】
ところが、ピペットを使用しているうちに実際の吸入容量と表示吸入容量との数値が食い違ってくる場合があるので、時折り両者を一致させる必要が生じ、この作業をピペットの吸入容量校正作業と称する。【０００４】
ピペット校正作業の第１の従来例として、特許第２５５４６６６号がある。これの校正作業によれば、上記ストロークネジ（特許公報中では中空シャフト９）に螺合する微調整ねじ１２の回転を抑止する止めねじ１３を緩めた後に、特殊ドライバにより微調整ねじ１２を左右何れかに回転させてストロークネジに対し相対的に軸方向に所定距離だけ微小移動させ、しかる後止めねじ１３を締める。これにより、微調整ねじ１２に対して当接して復帰位置を決められている中央シャフト２５が上記所定距離だけ微小軸方向へ移動して、実際の吸入容量が微調整的に可変される、従って、容量表示機構の表示数値は一定のままで、実際の吸入容量が上記表示数値に合致するよう微調整的に可変されて校正作業が完了する。（特許２５５４６６６号公報の第１０欄第２３行乃至３１行の記載参照）【０００５】
しかしながら、これによれば、（１）微調整ねじ１２を回転させるために、止めねじ１３を緩め、次いで調整後は止めねじ１３を締めるという面倒な作業が必要であり、また止めねじ１３を締め忘れると容量精度がずれ精度誤差を保てないし、また（２）微調整ねじ１２を回転させて軸方向に微小移動させる際に、調整を行いたい実際吸入容量が微調整ねじ１２の何回転分であるか分からず、試行錯誤的に多数回の調整作業が必要であるという問題点があった。【０００６】
第２の従来例としては、特開２００８−２５３９８０号がある。これによれば、上記第１の従来例の微調整ねじ１２及び止めねじ１３に相当する部材を、クラッチパイプ３及び容量可変設定且つキャリブレーションパイプ（以下、単にキャリブレーションパイプという）４の二つの部材（キャリブレーションパイプ４がパイプ押さえばね１３により下方へ付勢されてクラッチパイプ３へクラッチ的に噛み合って一体回転可能）に置き換えている。そして、校正作業の際に、キャリブレーションパイプ４を手動によりばね１３に抗して上側軸方向へ移動させてクラッチパイプ３との噛み合いを解除させて保持した状態で、キャリブレーションパイプ４及びストロークネジ５を一体回転させることにより、実際の吸入容量は可変されないままで、キャリブレーションパイプ４と連動する容量表示機構５１を駆動して数値表示のみを、上記実際吸入容量の数値に合致ずるまで可変して、校正作業を行っていた。（特開２００８−２５３９８０号公報の段落００５８の記載参照）
【先行技術文献】
【特許文献】
【０００７】
【特許文献１】特許第２５５４６６６号
【特許文献２】特開２００８−２５３９８０号
【発明の概要】
【発明が解決しようとする課題】
【０００８】
しかしながら、上記第２の従来例によれば、（３）校正作業中は常にキャリブレーションパイプ４を上記噛み合いが生じないようにばね１３に抗して常に上方向に力を加えて保持する必要がある労力が大変であり、また（４）キャリブレーションパイプ４とクラッチパイプ３は噛み合いクラッチで結合するため結合位置は回転方向に無段階ではないから、校正作業後にキャリブレーションパイプ４とクラッチパイプ３を再度噛み合わせる際に、噛み合いクラッチ爪の分割角度分の角度変化誤差が起きる場合があるという問題点があった。
【課題を解決するための手段】
【０００９】
本発明の目的は、ピペットの吸入容量の校正作業を、容易に且つ簡単な機構により提供して上記二つの従来例の問題点を解決し得る機構・ピペット及びその方法を提供することである。【００１０】
本発明によれば、吸入容量の校正作業時に、調整ねじ部材９の単に回転方向移動を抑止した状態でストロークネジ７を調整的に回転することにより作業を簡単化でき、しかも数値を無段階に調整して正確な校正作業を行うことができる。
【図面の簡単な説明】
【００１１】
【図１】本発明の第１の実施形態に係るピペットの吸入容量校正機構を適用したピペット装置の断面斜視図である。
【図２】図１のピペット装置の分解斜視図である。
【図３】図２中のＩＩＩで示す部分の拡大分解斜視図である。
【図４】図２中のＩＶで示す部分の拡大分解斜視図である。
【図５】図２中のＶで示す部分の拡大分解斜視図である。
【図６】上記ピペット装置の縦断面図である。
【図７】上記ピペット装置の吸入容量可変設定及び校正設定機構部の拡大縦断面図である。
【図８】図７中ＶＩＩＩ−ＶＩＩＩ線に沿った断面図である。
【図９Ａ】ストロークネジの平面図である。
【図９Ｂ】ストロークネジの側面図である。
【図１０】上記ピペット装置の１段吐出時の縦断面図である。
【図１１】上記ピペット装置の２段吐出時の縦断面図である。
【図１２】上記ピペット装置の校正作業の準備段階を示す縦断面図である。
【図１３】上記ピペット装置の校正作業中を示す縦断面図である。
【図１４】図１３中矢印ＸＩＶ方向に見た平面図である。
【図１５】上記ピペット装置の治具の一例を使用した校正作業中の要部を示す斜視図である。
【図１６】上記ピペット装置の治具の他の例を使用した校正作業中の要部の取付け前の状態を示す斜視図である。
【図１７】図１６の取付け後の状態を示す斜視図である。
【発明を実施するための形態】
【００１２】
以下、本発明を図面と共に説明する。
【００１３】
図１は、本発明の第１の実施形態に係るピペットの吸入容量校正機構を適用したピペット装置の断面斜視図、図２は、図１のピペット装置の分解斜視図、図３乃至図５は夫々、図２中のＩＩＩ乃至Ｖ部分の拡大分解斜視図、図６は、上記ピペット装置の縦断面図である。
【００１４】
１はピペット装置の筐体であり、把持部１ａ、窓部１ｂ、内周ねじ部１ｃを有する。窓部１ｂには、後述する容量表示機構８の表示数値を視認し得るように透明窓４２が取付けられる。
【００１５】
２は断面円形の中央シャフトで、上側当接段部２ａ及び下側当接段部２ｂを有し、後述するストロークネジ７の断面円形貫通穴７ｂ（図４参照）を貫通すると共にプランジャキャップ３ａを介して１段ばね１８により上方向（図１中左方向）へ付勢されて、上側段部２ａが後述する調整ねじ９の下端９ｄに当接して（図７も参照）上方への移動復帰位置が決まっている。
【００１６】
３はプランジャで、プランジャキャップ３ａを固定嵌合され、下ノズルハウジング４の上側シリンダー部４ａ内に上下動移動自在に嵌合され１段ばね１８により上方へ付勢されてプランジャキャップ３ａが中央シャフト２下端に当接している。なお、プランジャ３と下ノズルハウジング４との間には、Ｏリング３２及びＯリング押さえ３３がシールばね３４により付勢されて収納され、プランジャ３及び下ノズルハウジング４間のシールを達成している。
【００１７】
４は下ノズルハウジングで、上側シリンダー部４ａ及び下側ノズル部４ｂを有し、上ノズルハウジング５の下端に止めナット６により固定される。上ノズルハウジング５にはノズルキャップ３１が嵌着され、外周ねじ５ａが筐体１の内周ねじ部１ｃに螺合されて筐体１に取付けられている。
【００１８】
７はストロークネジで、断面ほぼ四角形のシャフト部７ａ、断面円形貫通穴７ｂ（上端に調整ねじ９により螺合される内周ねじ部７ｃ（図４及び図７参照）を有し、且つ断面円形シャフト２により挿通される）、及び下端鍔ねじ部７ｄを有する。ストロークネジ７は鍔ねじ部７ｄが容量表示機構ハウジング１４ａの内周ねじ部１４ａ１に螺合し、且つ容量表示機構８を駆動するべく、断面四角形のシャフト部７ａが容量表示機構８の最下方の第１の回転ドラム１５ａの断面小判形状穴１５ａ１（図４参照）に係合して一体回転可能となっている。なお、上記鍔ねじ部７ｄ及び内周ねじ部１４ａ１の螺合の理由は、後述する吸入容量の可変設定時にストロークネジ７が設定スリーブ１０と一体回転する際にストロークネジ７及び調整ねじ９の軸方向移動を可能とし、これによりシャフト２の軸方向移動を許容して実際の吸入容量の可変を可能にするものである。なお、ストロークネジ７の外周ねじ部７ｄが螺合する対象は固定系であれば良いから、容量表示機構ハウジング１４ａに限らず筐体１内周に設けたねじに直接螺合するようにしても良く、以下この固定系を「筐体１等」と称する。
【００１９】
８は公知の容量表示機構で、一対の容量機構ハウジング１４（１４ａ及び１４ｂ）と、その内部に収納されストロークネジ７に嵌合された４個の表示回転ドラム１５（１５ａ乃至１５ｄ：夫々例えば外周に１から０までの数値表示を有する）と、ハウジング１４ａ及び１４ｂ間に支持されたシャフト１６に取付けた３個のピニオン１７ａ乃至１７ｃとからなり、３個のピニオン１７ａ乃至１７ｃは夫々第２〜第４の回転ドラム１５ｂ乃至１５ｄのギヤ部１５ｂ１乃至１５ｄ１に噛合している。
【００２０】
従って、後述する如く、吸入容量の可変設定時及び校正作業時の何れにおいても、手動により後述する設定スリーブ１０をストロークネジ７と一体回転させると、断面四角形のシャフト部７ａ及び回転ドラム１５ａの断面小判形状穴１５ａ１の係合に基づいて、第１の回転ドラム１５ａのみが一体回転して最小桁の数値を可変的に表示し、これが順次ピニオン１７ａ乃至１７ｃの回転を介して第２乃至第４の回転ドラム１５ｂ乃至１５ｄに桁上げ的に伝達されて、可変的に合計４桁の数値表示を行う。
【００２１】
９は調整ねじで、上端鍔部９ａ（複数の係合凹部９ｂを有する）と、外周ねじ部９ｃと下端当接部９ｄとを有する。調整ねじ９は中央シャフト２上端に嵌合されつつ、外周ねじ部９ｃがストロークネジ７の上端内周ねじ部７ｃに螺合される。（図７参照）
【００２２】
１０は容量設定スリーブで、設定スリーブ本体１０ａ（断面ほぼ小判形の貫通穴１０ｃ及び外周鍔部１０ｄを有する）とこれに一体的に取付けられた設定スリーブカバー１０ｂとからなる。容量設定スリーブ１０７は、ストロークネジ７に対して上記断面小判形の貫通穴１０ｃが断面四角形のシャフト部７ａに嵌合し、これにより該ストロークネジ７に対して一体回転可能且つ軸方向相対移動可能となっている。（図８参照）
【００２３】
なお、吸入容量の可変設定時（実際の吸入容量及び表示吸入容量の両者が対応して変化する）と校正作業時（実際の吸入容量は不変のままで表示吸入容量のみが変化する）との相違は、可変設定時では設定スリーブ１０及びストロークネジ７の一体回転時に、調整ねじ９も一体回転するから、調整ねじ９はストロークネジ７と一体的に軸方向移動し、調整ねじ９の下端当接部９ｄに当接するシャフト２も見かけ上一体的に移動する。即ち、シャフト２の軸方向移動による実際の吸入容量の数値の変化と、ストロークネジ７の回転による吸入容量表示数値とが共に対応して変化する。これに対して、吸入容量の校正時には、調整ねじ９の回転が外部から抑止されているので、設定スリーブ１０及びストロークネジ７が一体回転しても、シャフト２の軸方向移動が生ずることなく、換言すれば、実際の吸入容量が不変のままで、吸入容量表示数値のみが上記実際の吸入容量に合致するまで変化する。
【００２４】
また、容量設定スリーブ１０は、容量表示機構ハウジング１４ｂ内に収納したトルクばね２５によりトルクプレート２６を介して上方へ押圧され、従って、鍔部１０ｄが筐体１に固定したロックリング２７及びロックリングワッシャー２８に対して当接されている。これにより、容量設定スリーブ１０は回転方向のトルクを付与されて不要な自由回転を生じない。
【００２５】
１１はエジェクターボタンで、エジェクター接続スリーブ１２（筐体下端に軸方向移動自在に嵌合）を介してエジェクターパイプ１３に連結されている。これらのエジェクター部材１１、１２及び１３は、チップ４３（図６参照）のエジェクト時に、エジェクターばね４１に抗して下方へ一体的に移動してチップ４３をエジェクトできる。
【００２６】
２１は下側２段ばね受け、２２は上側２段ばね受けで、筐体１内の上ノズルハウジング５のノズルキャップ３１及び容量表示機構ハウジング１４ａ間においてシャフト２に嵌合して収納され、２段ばね２３が上側２段ばね受け２２をその鍔部２２ａを介して上方へ付勢して、ストップリング２４に対して当接させている。
【００２７】
２９はプッシュボタンで、プッシュボタンスリーブ２９ａ及びプッシュボタンカバー２９ｂからなり、止めねじ３０によりシャフト２上端に固着されている。
【００２８】
５１は、校正作業用治具で、把持部５１ａ、折曲部５１ｂ及び一対の係合爪部５１ｃを有する。
【００２９】
次に、上記ピペット装置の操作について説明する。
【００３０】
最初に、図６の状態から、プッシュボタン２９をシャフト２及びプランジャ３と共に一段ばね１８に抗して下方（図６中右方）へ押し下げた状態でチップ４３を液体に浸す。続いて、押し下げ力を解除すると、上記部材２９、２及び３が上動復復帰して図６の状態に戻り、このときチップ４３及び下ノズルハウジング４内に所定量の液体が吸入される。
【００３１】
この状態で、ピペット装置を異なる位置の分注箇所へ移動させて、再びプッシュボタン２９、シャフト２及びプランジャ３を寸法ａ１（図１０参照）だけ押し下げて、シャフト２の下側段部２ｂを上側２段ばね受け２２の鍔部２２ａに当接させる。これにより上記所定量の液体の１段目吐出が終了する。１段目吐出が終了したことは、これ以後上記部材２９、２、３を下方へ移動させようとすると、今度は上側２段ばね受け２２の鍔部２２ａを介した２段ばね２３の付勢力が加わるというクリック感があるので識別できる。
【００３２】
続いて、図１０の位置から上記部材２９、２、３を今度は一段ばね１８及び２段ばね２３に抗して寸法ａ２（図１１参照）だけ押し下げると、上側２段ばね受け２２が下側２段ばね受け２３に当接して停止する。これにより、下ノズルハウジング４及びチップ４３の内面に付着残留していた液体も空気吐出時の流れにより吐出される。従って、吸入と吐出の間で液体容量の誤差が無くなり、正確な量の分注ができる。
【００３３】
次に、液体吸入容量の可変設定作業について説明する。
【００３４】
まず、液体吸入吐出の設定容量を例えば９０μｌから１００μｌへ可変設定したいとする。上記の如く、ピペット装置の筐体１を把持部１ａにより把持し、設定スリーブ１０を上方から見て所定方向（例えば、実際吸入容量を増大させるときは反時計方向、逆は時計方向）へ回転させると、ストロークネジ７が設定スリーブ１０と一体回転することにより容量表示機構８の回転ドラム１５が連動的に且つプランジャ３の移動量に対応する量だけ駆動されて、その表示数値が同じく９０μｌから１００μｌへ変化する。
【００３５】
他方、ストロークネジ７は、上記回転時に、固定系の筐体１等（この場合は容量表示機構ハウジング１４ａ）に対してねじ螺合していることに基づいて軸方向に上下動する。このとき調整ねじ９が螺合摩擦に基づいてストロークネジ７と一体回転しているから、ストロークネジ７と共に上下動する。これに伴って、調整ねじ９の下端当接部９ｄに当接しているシャフト２が上下動するから、結局プランジャ３も上下動して実際の吸入容量が上記表示数値の変化に対応して、９０μｌから１００μｌへ変化する。
【００３６】
次に、液体吸入容量の校正作業について説明する。今、容量表示機構８の表示が１００μｌであるに拘わらず実際の吸入容量が１０５μｌであり、両者に食い違いを生じていたとする。
【００３７】
まず、図１２に示す如く、プッシュボタン２９のプッシュボタンカバー２９ｂを取り外した後に、止めねじ３０を緩めてプッシュボタンスリーブ２９ａを取り外す。しかる後に、図１３乃至図１５に示す如く、校正作業用治具５１の把持部５１ａを作業者が手により把持して折曲部５１ｂを設定スリーブ１０内に差し込んで一対の係合爪部５１ｃを調整ねじ９の係合凹部９ｂに係合させて、調整ねじ９の回転を抑止固定する。
【００３８】
従って、この状態で、設定スリーブ１０を所定方向（例えば、容量数値を増大させるときは反時計方向、逆は時計方向）へ回転させると、ストロークネジ７は設定スリーブ１０と一体回転して筐体１等及び調整ねじ９に対して夫々ねじ螺合により相対的移動する。このとき、調整ねじ９は上記の如く治具５１により回転抑止されて軸方向移動しないから、結局、固定系の筐体１等に対して移動しているのはストロークネジ７のみである。つまり、一方では、調整ねじ９が上下動しないからシャフト２も上下動しないので実際の吸入容量が不変のままであり、他方ではストロークネジ７の回転により容量表示機構８の回転ドラム１５が連動的に駆動される。そして、容量表示機構８の表示数値が１０５μｌになるまで設定スリーブ１０が手動回転される。これにより、表示数値の１００μｌが実際の吸入容量と同じ１０５μｌに可変されて校正作業が終了する。
【００３９】
作業終了後は校正作業用治具５１を取り外して、プッシュボタン２９をシャフト２に対して再度取付ける。なお、本実施形態における止めねじ３０の着脱作業は、治具５１の作業スペースを確保することを目的とするのみであってこの作業を不要とすることは可能であり、第１の従来例の止めねじ１３の着脱作業の如く発明の本質的部分を構成しているものではない。
【００４０】
これによれば、第２の従来例において、校正作業の期間中ずっとキャリブレーションパイプ４をばねに抗してクラッチパイプ３から引き離した状態を保持し続ける必要があったものに比して、治具５１により調整ねじ９の単に回転方向動きを抑止するだけで良いので、作業者の負担が軽くなる。
【００４１】
また、第２の従来例におけるキャリブレーションパイプ４及びクラッチパイプ３の噛み合いに起因する分割角度の制限を受けないので、校正作業で一旦決めた回転方向精度がそのまま維持され、校正作業精度を向上し得る。
【００４２】
なお、第１の従来例（特許第２５５４６６６号）では、ストロークネジ（中空シャフト）９のねじピッチ（例えば０．６４ｍｍ及び０．８ｍｍの二種類）よりも微調整ねじ１２のねじピッチ（例えば０．５ｍｍ）の方が小さかったため、微調整ねじ１２の１回転がストロークネジ９の何回転（これが直接容量値に対応する）に対応するかを換算表で換算していた。しかるに、本実施形態では、ストロークネジ７及び調整ねじ９のねじピッチをほぼ同一としているため、調整ねじ９の１回転がストロークネジ７の１回転にそのまま対応しているため、容量がどの程度校正されたかを容量表示機構８の表示数値から直感的に知ることができて便利である。
【００４３】
なお、上記実施形態においては、校正作業時に調整ねじ９の回転を抑止するには校正作業期間中にわたって作業者が校正作業用治具５１を手により把持し続ける必要があったが、図１６及び図１７に、その代替えとしての他の治具５２を示す。図中、治具５２は、治具本体から側方から下方へ突出したＬ字形アーム部５２ａ（一対の係合爪部５２ｂを有するが図１６中一つのみ示す）及び本体下部の係合凹部５２ｃを有する。校正時には、治具５２の一対の係合爪部５２ｂを調整ねじ９の係合凹部９ｂに係合させると共に、本体下部の係合凹部５２ｃを筐体１の把持部１ａ（筐体１と一体であればその他の部分でもよい）に係合させる。これにより、調整ねじ９は筐体１に対して相対的に回転不可能に抑止固定されたことになり、校正作業期間中に作業者が治具を把持し続けることは不要で労力が軽減される。要するに、調整ネジ９と筐体１とを着脱自在に連結して調整ネジ９の回転を抑止し得る手段であれば、上記治具５２以外に種種の治具を使用し得る。  
【００４４】
以上に本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状や材質であっても、本願発明の作用・効果を奏する以上、本願発明の技術的思想の範囲内である。
【００４５】
以下に本明細書が開示する形態のいくつかを記載しておく。
【００４６】
第１形態によれば、筐体（１）内を、シャフト（２）及びプランジャ（３）が軸方向に往復移動してノズルハウジング（４）内に液体を吸入・吐出させるピペットにおいて、前記筐体（１）及びシャフト（２）間において、筐体（１）等の内周に螺合されると共に、該シャフト（２）に対して相対的に軸方向移動可能に嵌合されたストロークネジ（７）と、該ストロークネジ（７）の回転に連動して駆動され、吸入容量数値を可変的に表示し得る容量表示機構（８）と、該ストロークネジ（７）に螺合され該シャフト（２）の復帰方向の停止位置を決める吸入容量可変設定ねじ部材（９）とを更に備え、
前記容量表示機構（８）の表示数値と実際吸入容量数値とが異なる場合、前記吸入容量可変設定ねじ部材（９）を回転不可に抑止した状態で、前記ストロークネジ（７）を手動により調整回転させることにより、前記容量表示機構（８）を駆動させて、その表示数値を前記実際吸入容量の数値に一致させて校正作業を行う、ピペットの吸入容量校正機構である。
【００４７】
第２形態は、第１形態において、好ましくは、前記ストロークネジ（７）に一体的回転可能に取付けた設定部材（１０）を更に備え、前記設定部材（１０）を手動により回転させることにより前記ストロークネジ（７）の調整回転を行う。
【００４８】
第３形態は、第１形態又は第２形態において、また好ましくは、前記容量表示機構（８）は、ハウジング（１４）内に容量表示回転ドラム（１５）が収納されてなり、前記吸入容量調整ねじ部材（９）は、該吸入容量調整ねじ部材（９）と前記ハウジング（１４）との間に介在されたトルクばね（２５）により前記シャフト（２）の上方復帰方向へ付勢されている。
【００４９】
第４形態は、第１乃至第３形態の何れかにおいて、前記吸入容量可変設定ねじ部材（９）に第１の係合部（９ｂ）が設けられ、前記吸入容量校正を行う際に、別個に提供した校正作業用治具（５１、５２）の第２の係合部（５１ｃ、５２ｂ）を前記第１の係合部（９ｂ）に係合させることにより、前記前記吸入容量可変設定ねじ部材（９）の前記回転不可の抑止を実現し得る。
【００５０】
第５形態は、第４形態において、更に好ましくは、記校正作業用治具（５２）は更に第３の係合部（５２ｃ）を有し、前記治具（５２）の第２の係合部（５２ｂ）が前記吸入容量可変設定ねじ部材（９）の第１の係合部（９ｂ）に係合し且つ前記第３の係合部（５２ｃ）が筐体（１）の一部に係合することにより、前記吸入容量可変設定ねじ部材（９）の回転不可の抑止を実現し得る。
【００５１】
第６形態は、第１乃至第５形態の何れかにおいて、更に好ましくは、前記ストロークネジ（７）の前記筐体（１）等の内周に螺合したねじピッチと、前記吸入容量可変設定ねじ部材（９）の前記ストロークネジ（７）に螺合するねじピッチとはほぼ同一である。
【００５２】
第７形態は、第１乃至第６形態の何れかに記載の機構を有する、ピペットである。
【００５３】
第８形態によれば、筐体（１）内を、シャフト（２）及びプランジャ（３）が軸方向に往復移動してノズルハウジング（４）内に液体を吸入・吐出させるピペットであって、前記筐体（１）及びシャフト（２）間において、筐体（１）内周に直接又は間接に螺合されると共にシャフト（２）に一体的回転可能且つ別体的軸方向移動可能に嵌合されたストロークネジ（７）と、該ストロークネジ（７）の回転に連動して駆動され、吸入容量数値を可変的に表示し得る容量表示機構（８）と、該ストロークネジ（７）に螺合され該シャフト（２）の復帰方向の停止位置を決める吸入容量可変設定ねじ部材（９）とを更に備える前記ピペットにおいて、
前記容量表示機構（８）の表示数値と実際吸入容量の数値とが異なる場合、前記吸入容量可変設定ねじ部材（９）を回転不可に抑止した状態で、前記ストロークネジ（７）を手動により調整回転させることにより、前記容量表示機構（８）を駆動させて、その表示数値を前記実際吸入容量の数値に一致させて校正作業を行う、ピペットの吸入容量校正方法である。
【００５４】
第９形態は、第８形態において、前記ストロークネジ（７）に一体的回転可能に嵌合された設定部材（１０）を更に備え、前記設定部材（１０）を手動により回転させることにより前記ストロークネジ（７）の調整回転を行う、前記方法である。
【００５５】
第１０形態は、第８形態又は第９形態において、前記容量表示機構（８）は、ハウジング（１４）内に容量表示回転ドラム（１５）が収納されてなり、前記吸入容量調整ねじ部材（９）は、該吸入容量調整ねじ部材（９）と前記ハウジング（１４）との間に介在されたトルクばね（２５）により前記シャフト（２）復帰方向へ付勢されている、前記方法である。
【００５６】
第１１形態は、第８乃至第１０形態の何れかにおいて、前記吸入容量可変設定ねじ部材（９）に第１の係合部（９ｂ）が設けられ、前記吸入容量校正を行う際に、別個に提供した固定治具（５１、５２）の第２の係合部（５１ｃ、５２ｂ）を前記第１の係合部（９ｂ）に係合させることにより、前記前記吸入容量可変設定ねじ部材（９）の前記回転不可の抑止を実現し得る、前記方法である。
【００５７】
第１２形態は、第１１形態において、前記固定治具（５２）は更に第３の係合部（５２ｃ）を有し、前記治具（５２）の第２の係合部（５２ｂ）が前記吸入容量可変設定ねじ部材（９）の第１の係合部（９ｂ）に係合し且つ前記第３の係合部（５２ｃ）が筐体（１）の一部に係合することにより、前記吸入容量可変設定ねじ部材（９）の回転不可の抑止を実現し得る、前記方法である。
【００５８】
第１３形態は、第８乃至第１２形態の何れかにおいて、前記ストロークネジ（７）の前記筐体（１）等の内周に螺合したねじピッチと、前記吸入容量可変設定ねじ部材（９）の前記ストロークネジ（７）に螺合するねじピッチとはほぼ同一である、前記方法である。
【符号の説明】
【００５９】
１  筐体
１ａ  把持部
１ｂ  窓部
１ｃ  内周ねじ部
２  シャフト
２ａ、２ｂ  当接段部
３  プランジャ
３ａ  プランジャキャップ
４  下ノズルハウジング
４ａ  シリンダー部
４ｂ  ノズル部
５  上ノズルハウジング
５ａ  外周ねじ部
６  止めナット
７  ストロークネジ
７ａ  断面四角形シャフト部
７ｂ  貫通穴
７ｃ  内周ねじ部
７ｄ  鍔ねじ部
８  容量表示機構
９  調整ねじ
９ａ  鍔部
９ｂ  係合凹部
９ｃ  外周ねじ部
９ｄ  当接部
１０  容量設定スリーブ
１０ａ  設定スリーブ本体
１０ｂ  設定スリーブカバー
１０ｃ  断面小判形貫通穴
１０ｄ  外周鍔部
１１  エジェクターボタン
１２  エジェクター接続スリーブ
１３  エジェクターパイプ
１４（１４ａ、１４ｂ）  容量表示機構ハウジング
１４ａ１  内周ねじ部
１５（１５ａ〜１５ｄ）  回転ドラム
１５ａ１  軸方向キー溝
１６  シャフト
１７（１７ａ〜１７ｃ）  ピニオン
１８  一段ばね
２１  下側２段ばね受け
２２  上側２段ばね受け
２２ａ  鍔部
２３  ２段ばね
２４  ストップリング
２５  トルクばね
２６  トルクプレート
２７  ロックリング
２８  ロックリングワッシャー
２９  プッシュボタン
２９ａ    プッシュボタンスリーブ
２９ｂ  プッシュボタンカバー
３０  止めねじ
３１  ノズルキャップ
３２  Ｏリング
３３  Ｏリング押さえ
３４  シールばね
４１  エジェクターばね
４２  透明窓
４３  チップ
５１  校正作業用治具
５１ａ  把持部
５１ｂ  折曲部
５１ｃ  係合爪部
５２  治具
５２ａ  アーム部
５２ｂ  係合爪部
５２ｃ  係合凹部
【要約】
ピペットの吸入容量の校正作業を、容易に且つ簡単な機構により提供し得るピペットの吸入容量校正機構・ピペット及びその校正方法を提供する。
ピペットの吸入容量校正機構は、筐体（１）内を、シャフト（２）及びプランジャ（３）が軸方向に往復移動してノズルハウジング（４）内に液体を吸入・吐出させるピペットにおいて、前記筐体（１）及びシャフト（２）間において、筐体（１）等の内周に螺合されると共に、該シャフト（２）に対して相対的に軸方向移動可能に嵌合されたストロークネジ（７）と、該ストロークネジ（７）の回転に連動して駆動され、吸入容量数値を可変的に表示し得る容量表示機構（８）と、該ストロークネジ（７）に螺合され該シャフト（２）の復帰方向の停止位置を決める吸入容量可変設定ねじ部材（９）とを更に備え、前記容量表示機構（８）の表示数値と実際吸入容量数値とが異なる場合、前記吸入容量可変設定ねじ部材（９）を回転不可に抑止した状態で、前記ストロークネジ（７）を手動により調整回転させることにより、前記容量表示機構（８）を駆動させて、その表示数値を前記実際吸入容量の数値に一致させて校正作業を行う。【図１】
0006788311.tif 000002
【図２】
0006788311.tif 000003
【図３】
0006788311.tif 000004
【図４】
0006788311.tif 000005
【図５】
0006788311.tif 000006
【図６】
0006788311.tif 000007
【図７】
0006788311.tif 000008
【図８】
0006788311.tif 000009
【図９Ａ】
0006788311.tif 000010
【図９Ｂ】
0006788311.tif 000011
【図１０】
0006788311.tif 000012
【図１１】
0006788311.tif 000013
【図１２】
0006788311.tif 000014
【図１３】
0006788311.tif 000015
【図１４】
0006788311.tif 000016
【図１５】
0006788311.tif 000017
【図１６】
0006788311.tif 000018
【図１７】
0006788311.tif 000019